(57)【要約】 【課題】  観賞者の興趣を引き、水槽内を清浄に保持し、水槽内の環境の悪化を抑制できる水中環境浄化装飾具およびその製造方法を提供することである。【解決手段】  水槽２内には、水が溜められ、その水の中に水棲生物が飼われている。非水溶性の光触媒部材本体３の表面部に光触媒が施した光触媒部材３を網状体４に装着し、モザイクを描く。この光触媒部材３が装着される網状体４を水槽２の壁面部２ａに沿って配設する。【選択図】      図１
2007151497.tif 000002
【特許請求の範囲】
【請求項１】
水が貯留され、その水中で生物が飼育されている水槽内に設けられ、水槽内を装飾する水中環境浄化装飾具であって、
非水溶性の水中環境浄化装飾具本体を有し、
水中環境浄化装飾具本体の表面部に光触媒が施されていることを特徴とする水中環境浄化装飾具。
【請求項２】
前記光触媒は、水中環境浄化装飾具本体の表面部に色素を含む塗料とともに光触媒膜を形成し、前記表面部に施されることを特徴とする請求項１に記載の水中環境浄化装飾具。
【請求項３】
水中環境浄化装飾具本体を水槽の壁面部に沿って配設可能な配設手段をさらに含むことを特徴とする請求項２に記載の水中環境浄化装飾具。
【請求項４】
配設手段は、網状に形成される網状体と、水槽に設けられ網状体を掛止可能な掛止部材とを含み、
水中環境浄化装飾具本体は、網状体に装着可能に形成されていることを特徴とする請求項３に記載の水中環境浄化装飾具。
【請求項５】
水中環境浄化装飾具本体は、板状に形成され、
光触媒膜は、水中環境浄化装飾具本体の表面部に光触媒を含む塗料を塗布し焼成して形成されることを特徴とする請求項第２または３に記載の水中環境浄化装飾具。
【請求項６】
反射性を有する反射材が光触媒膜に含まれていることを特徴とする請求項１〜５のうちいずれか１つに記載の水中環境浄化装飾具。
【請求項７】
水中に配設可能な水中環境浄化装飾具本体を含み、水が貯留され、水中で生物が飼育されている水槽内に設けられる水中環境浄化装飾具を製造する水中環境浄化装飾具製造方法であって、
水中に配設可能な水中環境浄化装飾具本体に光触媒を含み、色素を含む塗料を塗布して描画する描画工程と、
描画された水中環境浄化装飾具本体を焼成する工程とを有することを特徴とする水中環境浄化装飾具の製造方法。
【発明の詳細な説明】
【技術分野】
【０００１】
本発明は、水槽内を装飾するための水中環境浄化装飾具およびその製造方法に関する。
【背景技術】
【０００２】
従来の技術の水槽装飾システムとして、水槽内の液体を浮揚する気泡を人工的に作り、観賞者に見せる水槽装飾システムがある。この水槽装飾システムでは、透光性材料から成る気泡管路が形成され、その一端部が上方に開放し、他端部が吸引ポンプに接続される。さらに水槽内に気泡発生する装置を有する。水槽装飾システムは、気泡を発生させ、吸引ポンプを駆動することによって、気泡管路の一端から気泡が吸い込まれ、気泡管路の一端から他端まで気泡を流動させる。このような気泡の流動を観賞者に観賞させることによって、観賞者の興趣を引くことができる。
【０００３】
【特許文献１】特開２００２−２９１３７１号公報
【発明の開示】
【発明が解決しようとする課題】
【０００４】
従来の技術の水槽装飾システムは、気泡を気泡管路内で流動させることによって、観賞者の興趣を引いている。しかしながら水槽内の清浄化については、問題提起されておらず、長時間放置していると、苔および菌が発生し、水槽内の環境が悪化する。熱帯魚は、その水槽内の清浄に保持することが必要であり、こまめに水槽内の水を取り替える必要がある。
【０００５】
本発明の目的は、観賞者の興趣を引き、水槽内を清浄に保持し、水槽内の環境の悪化を抑制できる水中環境浄化装飾具およびその製造方法を提供することである。
【課題を解決するための手段】
【０００６】
本発明は、水が貯留され、その水中で生物が飼育されている水槽内に設けられ、水槽内を装飾する水中環境浄化装飾具であって、
非水溶性の水中環境浄化装飾具本体を有し、
水中環境浄化装飾具本体の表面部に光触媒が施されていることを特徴とする水中環境浄化装飾具である。
【０００７】
本発明に従えば、水中環境浄化装飾具本体の表面部に紫外線が照射されると、光触媒作用によって、有機物などが分解される。これによって水槽内の水を殺菌し、水槽内の生物から排泄される排泄物の脱臭および分解をすることができる。
【０００８】
本発明は、前記光触媒は、水中環境浄化装飾具本体の表面部に色素を含む塗料とともに光触媒膜を形成し、前記表面部に施されることを特徴とする。
【０００９】
本発明に従えば、光触媒と色素とを含む光触媒膜を水中環境浄化装飾具本体の表面部に形成することができる。これによって、水中環境浄化装飾具本体を装飾することができる。
【００１０】
本発明は、水中環境浄化装飾具本体を水槽の壁面部に沿って配設可能な配設手段をさらに含むことを特徴とする。
【００１１】
本発明に従えば、水槽の壁面部に沿って水中環境浄化装飾具本体を配設することができる。
【００１２】
本発明は、配設手段は、網状に形成される網状体と、水槽に設けられ網状体を掛止可能な掛止部材とを含み、
水中環境浄化装飾具本体は、網状体に装着可能に形成されていることを特徴とする。
【００１３】
本発明に従えば、水槽に設けられる掛止部材に網状体を掛止することによって、網状体を吊設することができる。この吊設された網状体に水中環境浄化装飾具本体を装着することによって、水中環境浄化装飾具本体を壁面部に沿って配設することができる。
【００１４】
本発明は、水中環境浄化装飾具本体は、板状に形成され、
光触媒膜は、水中環境浄化装飾具本体の表面部に光触媒を含む塗料を塗布し焼成して形成されることを特徴とする。
【００１５】
本発明に従えば、水中環境浄化装飾具本体は、板状に形成され、前記水中環境浄化装飾具本体の一表面部に光触媒と色素とを含む塗料を塗布して焼成するので、前記一表面部に図画が描かれた水中環境浄化装飾具を形成することができる。
【００１６】
本発明は、反射性を有する反射材が光触媒膜に含まれていることを特徴とする。
本発明に従えば、水中環境浄化装飾具本体の表面部で反射された紫外線を反射材によって反射させ、光触媒に照射させることができる。
【００１７】
本発明は、水中に配設可能な水中環境浄化装飾具本体を含み、水が貯留され、水中で生物が飼育されている水槽内に設けられる水中環境浄化装飾具を製造する水中環境浄化装飾具製造方法であって、
水中に配設可能な水中環境浄化装飾具本体に光触媒を含み、色素を含む塗料を塗布して描画する描画工程と、
描画された水中環境浄化装飾具本体を焼成する工程とを有することを特徴とする水中環境浄化装飾具の製造方法である。
【００１８】
本発明に従えば、水槽内に設けられる水中環境浄化装飾具の水中環境浄化装飾具本体の表面部に光触媒および色素を含む塗料を塗布して描画し、描画された水中環境浄化装飾具本体を焼成し、水中環境浄化装飾具を製造することができる。
【発明の効果】
【００１９】
本発明によれば、水槽内の水を殺菌し、水槽内の生物から排泄される排泄物の脱臭および分解をすることができる。これによって水槽内を清浄に保持することができ、たとえば熱帯魚などの水質悪化に敏感な水棲生物に良好な環境を提供できる。また水槽内を清浄に保持することができるので、水中環境浄化装飾具が配設されていない水槽より、水槽を清掃する間隔を長くすることができる。これによって使用者の清掃の手間を軽減することができる。また水層内を装飾する水中環境浄化装飾具であるので、水棲生物に有用なものであり、かつ使用者が観賞するものである。このようなものに光触媒が施されているので、使用者および水棲生物にとって、違和感なく存在し、ストレスを与えることを抑制できる。
【００２０】
本発明によれば、光触媒と色素を有する塗料とが含まれる光触媒膜を水中環境浄化装飾具本体の表面部に形成することによって、水中環境浄化装飾具本体を装飾することができる。これによって使用者に観賞させて興趣を引くことができ、かつ水槽内を清浄な状態で保持することができる。
【００２１】
本発明によれば、壁面部に沿って水中環境浄化装飾具を配設することができる。これによって水槽の壁面部を装飾することができ、水棲生物が前記壁面部に衝突することを防止できる。また観賞用壁画として用いることもでき、使用者の興趣を引き、使用者の癒す効果がある。
【００２２】
本発明によれば、網状体に水中環境浄化装飾具本体を装着することによって水中環境浄化装飾具が形成され、この水中環境浄化装飾具は、前記網状体を掛止部材に掛止することによって、壁面部に吊説することができる。異なる色の塗料が塗布されている複数の水中環境浄化装飾具本体を組合わせることによって、網状体にモザイクを描くことができる。
【００２３】
また網状体に水中環境浄化装飾具本体が装着可能に形成され、各水中環境浄化装飾具本体は、様々な色の光触媒膜がそれぞれ形成されているので、使用者は、これらの色を組合わせて、自分の好みに合うモザイクを網状体に描くことが容易にできる。使用者は、このようにして描かれたモザイクを壁画部に配設し、観賞することができる。
【００２４】
本発明によれば、水中環境浄化装飾具が板状に形成されているので、前記水中環境浄化装飾具の一表面部に塗料を塗布することによって、図画を描き、焼成することによって、光触媒を含む絵画が形成される。この絵画を水槽の壁面部に配設して、観賞することができる。
【００２５】
本発明によれば、水中環境浄化装飾具本体の表面部で反射された紫外線を反射材によって反射させ、光触媒に照射させることができる。これによって光触媒に照射される紫外線の量を増加させることができ、光触媒反応の効果を高めることができる。これによってたとえば殺菌、脱臭および分解効果が高めることができ、より水槽内を清浄な状態に保持することができる。
【００２６】
本発明によれば、水槽内に設けられる水中環境浄化装飾具本体の表面部に光触媒を含む、色素含有の塗料を塗布して描画し、描画された水中環境浄化装飾具本体を焼成し、水中環境浄化装飾具を製造することができる。
【発明を実施するための最良の形態】
【００２７】
以下、図面を参照しながら本発明を実施するための形態を、複数の形態について説明する。各形態で先行する形態で説明している事項に対応している部分には同一の参照符を付し、重複する説明を略する場合がある。構成の一部のみを説明している場合、構成の他の部分は、先行して説明している形態と同様とする。また実施の各形態で具体的に説明している部分の組合せばかりではなく、特に組合せに支障が生じなければ、実施の形態同士を部分的に組合せることも可能である。
【００２８】
図１は、掛形装飾具１および載置形装飾具２０が配設される水槽２を示す斜視図である。図２は、掛形装飾具１の一部を拡大して示す正面図である。図３は、掛形装飾具１を構成する光触媒部材３を示す斜視図である。水中環境浄化装飾具の実施の第１の形態である掛形装飾具１は、水が貯留される水槽２内に配設される。掛形装飾具１は、光触媒部材３を有し、この光触媒部材３に紫外線が照射されると、水を分解して活性種を生じさせる光触媒反応を起こし、この活性種によって有機物などが分解される。これによって殺菌、分解および脱臭する。
【００２９】
水槽２は、水槽本体１５と保護部材１６を含む。水槽本体１５は、直方体形状の箱体であり、上方に開口している。水槽本体１５は、少なくとも水平方向の四方の壁面部１５ａが、ガラスなどの透光性材料から成る。水槽本体１５の開口部１５ｂおよび各隅部１５ｃは、樹脂などから成る保護部材１６によって覆われている。水槽２は、その内方に水を貯留可能に構成されている。本形態では、この水槽２に水を溜め、この水の中で生物、特に水棲生物を飼育している。本実施の形態では、水槽２は、直方体形状の箱体であるけれども、この形状に限定されず、円筒状または球状であってもよい。
【００３０】
掛形装飾具１は、網状体４と、複数の光触媒部材３と、掛止部材５とを含む。網状体４は、複数の線材９を含み、これらの線材９が横方向および縦方向に格子状に並設され、連結部４ａで互いに連結することによって形成される。線材９は、たとえば糸、縄、紐または針金であり、本実施の形態では、線材として縄を用いる。連結部４ａは、縦方向および横方向の線材９が交差する部分である。本実施の形態では、隣り合う２つの連結部４ａの間隔が同じになるように、複数の線材９が並設されている。
【００３１】
光触媒部材３は、光触媒部材本体６、光触媒膜７および装着部８が含まれる。水中環境浄化装飾具本体である光触媒部材本体６は、長尺状の部材であり、切欠きが、長手方向一端から他端にわたって形成されている。具体的には、光触媒部材本体６は、図３に示すように、円筒状に形成される部材に、軸線Ｌ１方向一端から他端にわたって半径方向内外方に開口する切欠きが形成される部材である。光触媒部材本体６は、たとえばアルミナ系またはジルコニア系セラミックから成る。ただしセラミックに限定されず、樹脂であってもよい。光触媒膜７は、光触媒部材本体６の外周部に形成されている。光触媒膜７は、紫外線を照射されると光触媒反応を起こす光触媒と、色素とが含まれる多孔質の薄膜である。光触媒膜７は、前記光触媒および色素が含まれる塗料を前記光触媒部材本体６の外周部に塗布し、焼成することによって、光触媒膜７に形成される。
【００３２】
光触媒としては、本実施の形態では酸化チタンが用いられ、他には、チタン酸ストロンチウム、アナターゼ形酸化チタン、含水酸化チタン、水和酸化チタン、メタチタン酸、オルトチタン酸または水酸化チタンなどが用いられる。
【００３３】
色素には、顔料が用いられ、顔料としては、水性エマルジョン塗料に用いられている無機着色顔料、有機着色顔料、無機体質顔料を用いる。無機着色顔料としては、酸化チタン白、チタンイエロー、スピネルグリーン、亜鉛華、ベンガラ、酸化クロム、コバルトブルー、鉄黒などの金属酸化物系、アルミナホワイト、黄色 酸化鉄などの金属水酸化物系、紺青などのフェロシアン化合物系、黄鉛、ジンクロメート、モリブデンレッドなどのクロム酸鉛系、硫化亜鉛、朱、カドミウムイエロー、カドミウムレッドなどの硫化物、セレン化合物系、バライト、沈降性硫酸バリウムなどの硫酸塩系、重質炭酸カルシウム、沈降性炭酸カルシウムなどの炭酸塩系、含水珪酸塩、クレー、群青などの珪酸塩系、カーボンブラックなどの炭素系、アルミニウム粉、ブロンズ粉、亜鉛粉末などの金属粉系、雲母・酸化チタン系などのパール顔料系などが挙げられる。また、有機顔料としてはアントラキノン系、キナクドリン系、ペリレン系、イソインドリン系等のキノン系顔料、アゾ顔料、フタロシアニン顔料などが挙げられる。また、無機体質顔料としては、酸化チタンウィスカー、炭酸カルシウムウィスカー、チタン酸カリウムウィスカー、ホウ酸アルミニウムウィスカー、マイカ、タルク、硫酸バリウム、炭酸カリウム、珪砂、珪藻土、カオリン、クレー、セピオライト、陶土、炭酸バリウム等が好適である。これらの顔料はそれぞれ単独で使用しても、あるいは２種以上を併用してもよく、たとえば各種着色顔料および／または各種体質顔料とを併用することも可能である。
【００３４】
さらに塗料としては、有機塗料または無機塗料が用いられる。水系有機塗料としては、ビニル系合成樹脂エマルションが挙げられる。ビニル系合成樹脂は、特に限定されるものではなく、乳化重合可能なビニル系モノマーの重合体であれば良く、たとえば、アクリル樹脂、アクリル共重合樹脂、スチレン共重合樹脂、酢酸ビニル樹脂、酢酸ビニル共重合樹脂、エチレン−酢酸ビニル共重合樹脂などが挙げられる。また、各種樹脂のうち溶剤に可溶なものは、溶剤系の有機塗料して用いることができる。
【００３５】
これら樹脂の重合用モノマー成分としては、たとえば、（メタ）アクリル酸エステル、アミド結合含有ビニルモノマー、スチレンまたはスチレン誘導体、（メタ）アクリロニトリル、カルボキシル基含有ビニルモノマー、ヒドロキシル基含有ビニルモノマー、ハロゲン化ビニル類、ビニルエステル類、シリル基含有ビニルモノマー等が挙げられる。
【００３６】
無機塗料としては、ゾル−ゲル法によって塗膜を形成するための加水分解重合性金属アルコキシドを含む溶液が挙げられる。金属アルコキシドの金属としては、特に制限されるものではないが、たとえばＡｌ、Ｔｉ、Ｚｒ、Ｓｉなどが挙げられる。これらの金属のうち、Ａｌ、Ｓｉが好ましく、Ｓｉが特に好ましい。
【００３７】
金属アルコキシドのアルコキシド基としては、特に制限されるものではなく、たとえば、メトキシ、エトキシ、プロポキシ、イソプロポキシ、ブトキシ、イソブトキシ、sec-ブトキシ、ペンチルオキシ、ヘキシルオキシなどのアルコキシ基等が挙げられる。これらのうち、炭素数１〜４の低級アルコキシ基が好ましく、特にメトキシ、エトキシ、プロポキシ等が好ましい。金属アルコキシドは、加水分解重合するために少なくとも２つのアルコキシド基を有する。
【００３８】
装着部８は、ゴムおよび樹脂などの弾性材料から成り、光触媒部材本体６の内周部に形成される。具体的には、装着部８は、光触媒部材本体６の内周部に、半径方向内方に向かって突出するように形成され、その半径方向の厚みは、一定である。装着部８は、光触媒部材本体６の軸線方向一端から他端にわたって形成されている。さらに詳細に説明すると、装着部８は、大略的に光触媒部材本体６と同形状に形成され、装着部８の外径と光触媒部材本体６の内径とが同じに形成されている。さらに装着部８の内径は、網状体４を構成する線材９の外径より小径に形成される。
【００３９】
このように構成される光触媒部材３は、その内周部によって半径方向外方および軸線Ｌ１方向一方および他方に開口する装着溝部１０が形成される。装着溝部１０の半径方向内方に開口する装着開口部１１ａは、線材９の外径より小径に形成される。またこの装着開口部１１ａから装着溝部１０に網状体４の線材９を嵌め込むことによって、光触媒部材３が網状体に装着される。装着溝部１０に嵌め込まれている線材９は、装着部８の内径が線材９の外径より小径に形成されているので、装着部８から半径方向内方に向かう弾発力が付勢され、装着部８によって挟持されている。また装着溝部１０の半径方向外方に開口する装着開口部１１ｂは、線材９の外径より大径に形成され、装着溝部１０は、装着開口部１１ｂから１１ａに向かうにつれて先細りになるテーパ状に形成されている。これによって線材９を容易に装着することができる。
【００４０】
光触媒部材３は、互いに隣接する２つの連結部４ａの間の部分４ｂ（以下、「被装着部４ｂ」）に装着されている。各光触媒部材３は、網状体４に形成される複数の被装着部４ｂに１つずつ装着されている。ただし、１つずつに限定するものでなく、２つ以上であってもよい。各光触媒部材３は、赤、青、黄、緑、白または黒などの色素を有する光触媒膜７を、その外周部に有している。これによって複数種類の色の光触媒部材３が形成される。このような複数種類の色の光触媒部材３を組合わせることによって、網状体４にモザイク画１２を形成する。本実施の形態では、複数の光触媒部材３を装着することによって、図１に示すように、富士山の背景のモザイク画１２を形成している。ただし複数種類の色の光触媒部材３を形成することに限定されず、一種類の色の光触媒部材３だけを網状体４に装着してもよい。また絵も富士山の風景に限定されず、人物像であってもよい。
【００４１】
このようにして形成されるモザイク画１２は、掛止部材５に掛止され吊説されている。掛止部材５は、水槽に配設するための配設部１３と、モザイク画１２を掛止するための複数の掛止部１４とを有する。配設部１３は、水槽２の開口部２ｂに装着可能に形成される。本実施の形態では、長尺状の部材であり、その長手方向に垂直な仮想平面で切断して見た断面がコ字状に形成され、その内周部によって、嵌合溝１３ａが形成される。嵌合溝１３ａは、その幅が開口部２ｂの厚み、具体的には、保護部材１６の厚みより長尺に形成される。配設部１３は、嵌合溝１３ａに水槽２の開口部２ｂを嵌め込むことによって、水槽２に装着される。
【００４２】
掛止部１４は、金属から成り、鉤状に形成される。複数の掛止部１４は、その一端が配設部１３の外周部に、その配設部１３の長手方向に間隔をあけてそれぞれ配設されている。本実施の形態では、互いに隣り合う掛止部１４の間隔は、互いに隣り合う２つの連結部４ａの間隔と同じに形成される。
【００４３】
このようにして形成される掛止部材５は、嵌合溝１３ａに水槽２の開口部２ｂを嵌め込み、装着される。各掛止部１４は、装着されている状態で、水槽２の内方に向かう方向に突出するように配設部１３に形成されている。このようにして装着される掛止部材５の各掛止部１４に網状体４を掛止する、具体的には、互いに隣り合う２つの連結部４ａの間の部分を掛止させる。これによってモザイク画１２を掛止部材５に掛止することができる。このようにして掛止されると、モザイク画１２が壁面部１５ａ沿って吊説される。つまり掛形装飾具１が水槽２の壁面部２ａに沿って吊設される。
本実施の形態において配設手段１７には、網状体４と掛止部材５とが含まれる。
【００４４】
水槽２には、さらに載置形装飾具２０が載置されている。載置形装飾具２０は、モザイク画１２と構成が類似しており、図２および３を参照して説明する。載置形装飾具２０は、水中環境浄化装飾具の実施の第２の形態であり、掛形装飾具１の網状体４と光触媒部材３とを含む。載置形装飾具２０は、網状体４に光触媒部材３を装着することによって構成され、複数種類の色の光触媒部材３を組合わせて図画が描かれる。載置形装飾具２０は、水槽本体１５の底部１５ｄに載置されている。
【００４５】
さらに水槽２には、紫外線を放射可能な発光装置２１が設けられている。発光装置２１は、いわゆるブラックライトであり、水槽２の開口部２ｂに設けられる。この発光装置２１によって、紫外線を放射させ、掛形装飾具１および載置形装飾具２０に紫外線を照射する。
【００４６】
このようにして水槽２の底部（水槽本体１５の底面部１５ｄ）に載置形装飾具２０を載置し、掛形装飾具１を水槽２の壁面部２ａに沿って吊設し、水槽２内に水を溜める。この水槽２内に、熱帯魚などの魚類、藻類、貝類などの水棲生物を放す。このようにして水槽２内で、水棲生物を飼育し、観賞する。
【００４７】
図４は、掛形装飾具１のモザイク画１２の製造方法のフローチャートを示す図である。次に掛形装飾具１のモザイク画１２の製造方法について説明する。製造処理が開始すると、ステップｓ１へ移行する。本体形成工程であるステップｓ１では、光触媒部材本体６を形成し、光触媒部材本体６の内周部に装着部８を配設し、光触媒部材３の前駆体を形成する。光触媒部材３の前駆体を形成すると、ステップｓ２へ移行する。塗料塗布工程であるステップｓ２では、光触媒の粒子を、素が含まれる塗料に混合し、複数種類の色の塗料を作成する。これらの色の塗料を、各光触媒部材本体６の外周部にそれぞれ塗布し、色の異なる塗布膜を各光触媒部材本体６に形成する。前記塗料を塗布すると、ステップｓ３へ移行する。
【００４８】
焼成工程であるステップｓ３では、この塗布膜を４００度以上で焼成することによって、各光触媒部材本体６の外周部に、色が異なる光触媒膜７を形成する。これによって光触媒部材３が形成され、複数の光触媒部材３を形成すると、ステップｓ４へ移行する。装着工程であるステップｓ５では、ステップｓ４で形成された複数の光触媒部材３を網状体４にそれぞれ装着する。各光触媒部材３は、網状体４に形成される複数の被装着部４ｂに１つずつ装着され、光触媒部材３の色を組合わせによって、図画を描き、モザイク画１２を形成する。モザイク画１２を形成すると、製造処理が終了する。このようにしてモザイク画１２が製造される。
【００４９】
このようにして構成される掛形装飾具１および載置形装飾具２０は、光触媒部材３に含まれる光触媒に紫外線が照射されると、光触媒作用によって、水が分解しての活性種を発生させる。この活性種が有機物と反応することによって、前記有機物を分解する。これによって殺菌でき、糞尿などの排泄物を脱臭および分解することができる。また有機物が分解される際、酸素が発生する。また光触媒作用によって、水を分解し、酸素を発生させる。このように酸素を発生するので、水槽２内の水の溶存酸素を富化することができる。
【００５０】
このようにして構成される掛形装飾具１が奏する効果について説明する。本実施の形態の掛形装飾具１および載置形装飾具２０によれば、水槽２内の水を殺菌し、水槽２内の生物から排泄される排泄物の脱臭および分解をすることができる。これによって水槽２内を清浄に保持することができ、たとえば熱帯魚などの水質悪化に敏感な水棲生物に良好な環境を提供できる。また水槽２内を清浄に保持することができるので、これらの装飾具１，２０が配設されていない水槽より、水槽２を清掃する間隔を長くすることができる。これによって使用者の清掃の手間を軽減することができる。また水槽２内を装飾する装飾具であるので、水棲生物に有用なものであり、かつ使用者が観賞するものである。具体的には、掛形装飾具１および載置形装飾具２０に風景画などの図画が描かれているので、使用者は、熱帯魚などの水棲生物とともに観賞することができる。このような観賞用装飾具に光触媒が施されているので、使用者および水棲生物にとって、違和感なく存在し、ストレスを与えることを抑制できる。
【００５１】
本実施の形態の掛形装飾具１および載置形装飾具２０によれば、光触媒と色素を有する有機塗料または無機塗料とが含まれる光触媒膜７を光触媒部材本体６の外周部に形成することによって、光触媒部材本体６を装飾することができる。これによって使用者が観賞させて興趣を引くことができ、かつ水槽内を清浄な状態で保持することができる。
【００５２】
本発明によれば、壁面部２ａに沿って掛形装飾具１を配設することができる。これによって水槽２の壁面部２ａを装飾することができ、水棲生物が前記壁面部２ａに衝突することを防止できる。特に熱帯魚および金魚などの魚は、ガラスなどの透過性材料を認識できず、衝突することがある。それ故、前記壁面部２ａに装飾具が配設されると、衝突を防止でき、魚のストレスを抑制できる。また観賞用壁画として用いることもでき、使用者の興趣を引き、使用者の癒す効果がある。
【００５３】
本実施の形態の掛形装飾具１によれば、網状体４に光触媒部材３を装着することによって形成される。この掛形装飾具１は、前記網状体４を掛止部材５に掛止し吊説することによって、壁面部２ａに配設することができる。網状体４に異なる色の塗料が塗布されている複数の光触媒部材本体６を組合わせることによって、網状体４にモザイク画１２を形成することができる。
【００５４】
また網状体４に光触媒部材本体６が装着可能に形成され、各光触媒部材本体６は、様々な色の光触媒膜７がそれぞれ形成されているので、使用者は、これらの色を組合わせて、自分の好みに合うモザイク画１２を容易に形成できる。使用者は、このようにして描かれたモザイク画１２を壁画部２ａに配設し、観賞することができる。
【００５５】
本実施の形態の掛形装飾具１および載置形装飾具２０によれば、菌類および糞尿などを分解することによって、また水を分解することによって、酸素を発生する。したがって水槽２内を酸素富化な状態にすることができ、水棲生物にとって良好な環境状態に水槽２内を保持できる。
【００５６】
また本実施の形態の掛形装飾具１によれば、壁面部１５ｂに沿って配設されているので、前記壁面部を透過する光を遮断することができる。これによって水槽２内の水温が上昇することを抑制し、水棲生物にとって良好な環境状態に水槽２内を保持できる。
【００５７】
図５は、水中環境浄化装飾具の実施の第３の形態の掛形装飾部１Ａを拡大して示す正面図である。図６は、掛形装飾具１を構成する光触媒部材３を示す斜視図である。掛形装飾部１Ａは、実施の第１の形態の掛形装飾部１と構成が類似している。したがって掛形装飾部１Ａの構成については、実施の第１の形態の掛形装飾部１と異なる点についてだけ説明し、同一の構成については同一の符号を付してその説明を省略する。掛形装飾部１Ａは、網状体４と、複数の光触媒部材３Ａと、掛止部材５とを含む。光触媒部材３Ａは、光触媒部材本体６Ａ、光触媒膜７および２つの装着部８が含まれる。
【００５８】
水中環境浄化装飾具本体である光触媒部材本体６Ａは、大略的には、板状に形成され、その厚み方向平面視で矩形状に形成されている。光触媒部材本体６Ａの長手方向一端および他端は、幅方向に垂直な仮想平面で切断して見た断面が、軸線Ｌ２，Ｌ３を中心とする半円弧状に形成されている。光触媒部材本体６Ａの長手方向一端部２２および他端部２３には、それぞれ幅方向に平行な軸線Ｌ２，Ｌ３周りに貫通孔部２４，２５が形成されている。２つの貫通孔部２４，２５は、幅方向に光触媒部材本体６Ａを貫通している。光触媒部材３Ａは、２つの軸線Ｌ２，Ｌ３の距離が、方向または縦方向に並設され互いに隣り合う２つの線材９の軸線の距離と同一に形成され、幅が前記線材９の軸線の距離より短尺に形成される。
【００５９】
光触媒部材本体６Ａの長手方向一端部２２および他端部２３には、その厚み方向一表面部２８に幅方向一端から他端にわたって切欠き２６，２７がそれぞれ形成される。切欠き２６，２７は、貫通孔部２４，２５の半径方向内外にそれぞれ貫き、貫通孔部２４，２５を厚み方向に開放する。このように形成される貫通孔部２４，２５に装着部８がそれぞれ形成されている。光触媒部材本体６Ａは、実施の第１の形態の光触媒部材本体６Ａ、たとえばアルミナ系またはジルコニア系セラミックから成る。ただしセラミックに限定されず、樹脂であってもよい。また光触媒部材本体６の厚み方向他表面部２９には、光触媒および色素を含む塗料を塗布し焼成して形成される光触媒膜７が形成されている。
【００６０】
このようにして構成される光触媒部材３Ａは、その長手方向一端部２２および他端部２３に、装着部８の内周部によって形成される第１および第２装着溝部３０，３１を有する。この第１および第２装着溝部３０，３１は、網状体４の互いに縦方向または横方向に対向する２つの非装着部４ｂにそれぞれ装着される。つまり光触媒部材３Ａは、横方向または縦方向に並設され互いに隣り合う２つの線材９にわたって装着される。このように２つの線材９にわたって装着されるので、互いに隣り合う各光触媒部材３Ａは、互いに異なる方向に並設される線材、つまり横方向および縦方向に並設される線材９にわたってそれぞれ装着される（図５参照）。このように複数の光触媒部材３Ａを装着することによって、網状体４の網目を覆い、複数の色の光触媒部材３Ａを組合わせることによって、網状体４Ａにモザイクを描くことができる。このようにしてモザイク画１２Ａを形成することができる。
【００６１】
このようにして構成される掛形装飾部１Ａが奏する効果について説明する。本実施の形態の掛形装飾具１Ａによれば、互いに横方向または縦方向に並設される２つの線材９にわたって装着されるので、網状体４の網目を覆うことができる。これによって魚が網目を通って、水槽の壁面部２ａに衝突することを防止できる。また網目を覆うので、美観もよく、観賞者の興趣を引く図画を描くことができる。
【００６２】
本実施の形態の掛形装飾具１Ａによれば、実施の第１の形態の掛形装飾具１と同様の効果を奏する。
【００６３】
図７は、水中環境浄化装飾具の実施の第４の形態の載置形装飾具２０Ｂを示す平面図である。載置形装飾具２０Ｂは、実施の第２の形態の載置形装飾具２０と同様、水槽２の底部に載置されている。載置形装飾具２０Ｂは、複数の光触媒部材３Ｂと、線材９Ｂとを含む。光触媒部材３Ｂは、円筒状の光触媒部材本体６Ｂを含む。水中環境浄化装飾具本体である光触媒部材本体６Ｂは、実施の第１の形態の光触媒部材本体６と同様に、たとえばアルミナ系またはジルコニア系セラミックから成る。ただしセラミックに限定されず、樹脂であってもよい。この光触媒部材本体６Ｂの外周部には、光触媒膜７が形成されている。光触媒膜７は、実施の第１の形態の光触媒膜７と同様の構成であり、その説明を省略する。線材９Ｂは、たとえば針金などの可撓性を有する材料から成る。線材９Ｂは、複数の光触媒部材３Ｂを挿通し、その一端部および他端部から前記光触媒部材３Ｂが離脱しないように、鉤状に形成されている。このようにして複数の光触媒部材３Ｂを挿通している線材９Ｂを渦巻状に形成されている。このようにして形成される載置形装飾具２０Ｂは、紫外線が照射されると、光触媒反応を起こし、殺菌、および糞尿の分解および脱臭する。さらに光触媒反応によって、酸素を生じ、水槽２内の酸素濃度を増加させることができる。
【００６４】
本実施の形態の載置形装飾具２０Ａによれば、実施の第２の形態の載置形装飾具２０と同様の効果を奏する。
【００６５】
図８は、水槽２内に配設される魚用遊具３４、壁面装飾具３５および載置物３６を拡大して示す斜視図である。水中環境浄化装飾具の実施の第５の形態の魚用遊具３４は、魚用遊具本体３７と光触媒膜７とを有する。水中環境浄化装飾具本体である魚用遊具本体３７は、たとえばアルミナ系またはジルコニア系セラミックから成り、複数の枠体３８、本実施の形態では４つの枠体３８が第一方向に積層されている。枠体３８は、４つの壁面部を有し、これら４つの壁面部が四方に配設され、互いに隣り合う壁面部の端部が連結されている。このように形成される各枠体３８は、第１方向に垂直な第２方向と、第１および第２方向に垂直な第３方向に交互に開口するように第一方向、本実施の形態では、高さ方向に積層されている。このように形成される魚用遊具本体３７には、その外表面部に光触媒膜７が形成されている。光触媒膜７は、実施の第１の形態の掛形装飾具１に含まれる光触媒膜７と同様の構成であり、同様の方法で形成される。したがって光触媒膜７ついては、同一の符号を付してその説明を省略する。このようにして形成される魚用遊具３４は、魚が枠体３８の孔を通過するなどして、遊具として用いられる。
【００６６】
図９は、壁面装飾具３５を示す正面図である。図１０は、図９の左側から壁面装飾具３５を見て示す段面図である。図１１は、図９に示す断面線Ａ−Ａで切断して見た壁面装飾具３５の一部を拡大して示す断面図である。水中環境浄化装飾具の実施の第６の形態の壁面装飾具３５は、壁面装飾具本体３９と複数の取り付け部材４０とを有する。水中環境浄化装飾具本体である壁面装飾具本体３９は、矩形状の板状体であり、たとえばアルミナ系またはジルコニア系セラミック、樹脂あるいはアルミニウムなどの金属板から成る。壁面装飾具本体３９は、その一表面部に光触媒膜７Ｃが形成されている。光触媒膜７Ｃは、光触媒を含む複数種類の色素の塗料を組合わせて図画を描くように、壁面装飾具本体３９の一表面部に塗布し、これを焼成することによって形成される。前記塗布される塗料には、さらに反射材４１が含まれている。反射材４１は、たとえば扁平状の箔膜片であり、たとえばアルミニウムなどの金属切箔である。
【００６７】
このような構成を有する壁面装飾具３５の製造方法は、実施の第１の形態の掛形装飾具１の光触媒部材３の製造方法と類似している。したがって図４を参照しつつ説明する。製造処理が開始すると、ステップｓ１へ移行する。本体形成工程であるステップｓ１では、では、壁面装飾具本体３９を形成する、壁面装飾具本体３９を形成すると、ステップｓ２へ移行する。塗料塗布工程であるステップｓ２では、光触媒の粒子を色素が含まれる塗料に混合して、複数種類の色の塗料を作成する。異なる色の塗料を組合わせて、図画を描くように壁面装飾具本体３９の一表面部に塗布する。前記塗料を塗布すると、ステップｓ３へ移行する。焼成工程であるステップｓ３では、この塗料が塗布されている壁面装飾具本体３９を４００度以上で焼成することによって、壁面装飾具３５を形成する。壁面装飾具３５を形成すると、製造処理が終了する。
【００６８】
このような光触媒膜７Ｃを壁面装飾具本体３９に形成することによって、光触媒機能を有する絵画４２を形成することができる。絵画４２には、たとえば図９に示されるような、色の明度を段階的に変化させるグラデーションが描かれている。
【００６９】
取り付け部材４０は、吸盤であり、壁面装飾具本体３９の他表面部に取り付けられている。取り付け部材４０は、吸着面部が前記他表面部から離反する方向に向かうように、前期他表面部に配設されている。取り付け部材４０は、たとえば壁面装飾具本体３９の４隅とこれらの４隅の間とに配設されている。このようにして配設されている取り付け部材４０の吸着面部を水槽２の壁面部２ａに吸着させることによって、壁面装飾具３５を前記壁面部２ａに沿って容易に取り付けられる。
【００７０】
このようにして構成される壁面装飾具３５は、紫外線Ｕが照射されると、光触媒膜７に含まれる光触媒によって、光触媒反応が起こり、殺菌、有機物の分解および脱臭する。また光触媒に照射されず、透過し装飾具本体３９で反射された光を、反射材４１で反射し、光触媒に照射させる。これによってより多くの光触媒の粒子で光触媒反応を起こさせ、殺菌、分解および脱臭効果を高めることができる。
【００７１】
図１２は、載置物３６を示す斜視図である。水中環境浄化装飾具の実施の第７の形態の載置物３６は、水槽２の底面部に載置される置物である。載置物３６は、載置物本体３６を含む。水中環境浄化装飾具本体である載置物本体４３は、たとえばたとえばアルミナ系またはジルコニア系セラミック、あるいは樹脂から成る。載置物本体４３は、大略的に球体を扁平にした形に形成されている。具体的には、載置物本体４３は、扁平に形成される部分を水槽２の底面部に臨ませて載置されている。載置物本体４３は、この外表面部に光触媒膜７が形成されている。光触媒膜７は、実施の第１の形態の掛形装飾具１の光触媒膜７と同様の構成であるので、機能および形成方法の説明については省略する。このような載置物本体４３が水槽２内に載置されている。
【００７２】
本実施の形態の壁面装飾具３５によれば、壁面装飾具本体３９の表面部で反射された紫外線を反射材４１によって反射させ、光触媒に照射させることができる。これによって光触媒に照射される紫外線の量を増加させることができ、光触媒反応の効果を高めることができる。これによってたとえば殺菌、脱臭および分解効果が高めることができ、より水槽内を清浄な状態に保持することができる。
【００７３】
本実施の形態の壁面装飾具３５の製法によれば、水槽２内に設けられる壁面装飾具本体３９の一表面部に光触媒を含む、色素含有の塗料を塗布して描画し、描画された壁面装飾具本体３９を焼成することによって、壁面装飾具３５を製造することができる。
【００７４】
図１３は、水中環境浄化装飾具の実施の第８の形態の壁面装飾具３５Ａを示す正面図である。図１４は、水中環境浄化装飾具の実施の第９の形態の壁面装飾具３５Ｂを示す正面図である。図１５は、水中環境浄化装飾具の実施の第１０の形態の壁面装飾具３５Ｃを示す正面図である。壁面装飾具３５Ａ〜３５Ｃは、実施の第６の形態の壁面装飾具３５と構成が類似している。具体的には、壁面装飾具３５の一表面部に描かれている絵が異なるだけである。したがって描かれている絵について説明し、その他の構成については、同一の符号を付してその説明を省略する。壁面装飾具３５Ａには、その一表面部に複数の色の塗料を組合わせて波と空の絵が描かれている。壁面装飾具３５Ｂには、岩などの漁礁を含む海中の風景が描かれている。壁面装飾具３５Ｃは、三角などの複数の幾何学模様が描かれている。
【００７５】
本実施の形態の壁面装飾具３５Ａ〜３５Ｃによれば、壁面装飾具３５と同様の効果を奏する。
【００７６】
図１６は、水中環境浄化装飾具の実施の第１１の形態の載置物３６Ａを示す正面図である。図１７は、水中環境浄化装飾具の実施の第１２の形態の載置物３６Ｂを示す正面図である。図１８は、水中環境浄化装飾具の実施の第１３の形態の壁面装飾具３６Ｃを示す正面図である。図１９は、水中環境浄化装飾具の実施の第１４の形態の載置物３６Ｄを示す正面図である。図２０は、水中環境浄化装飾具の実施の第１５の形態の載置物３６Ｅを示す正面図である。載置物３６Ａ〜３６Ｅは、実施の第７の形態の載置物３６と構成が類似している、具体的には、載置物３６と形状だけが異なる。したがって載置物３６Ａ〜３６Ｅについては、その形状についてだけ説明し、同一の構成については、同一の符号を付してその説明を省略する。
【００７７】
載置物３６Ａは、載置物本体４３Ａと光触媒膜７とを含む。載置物本体４３Ａは、大略的に円筒状に形成されている。載置物本体４３Ａの外周部に光触媒膜７が形成されている。載置物３６Ｂは、載置物本体４３Ｂと光触媒膜７とを含む。載置物本体４３Ｂは、大略的に円筒状に形成され、軸線方向中間部から枝分かれして二股になっている。載置物本体４３Ｂの外周部に光触媒膜７が形成されている。載置物３６Ｃは、載置物本体４３Ｃと光触媒膜７とを含む。載置物本体４３Ｃは、大略的に円筒状に形成され、その軸線が湾曲している。載置物本体４３Ｃの外周部に光触媒膜７が形成されている。
【００７８】
載置物３６Ｄは、載置物本体４３Ｄと光触媒膜７とを含む。載置物本体４３Ｃは、大略的に球状に形成されている。載置物本体４３Ｄの外周部に光触媒膜７が形成されている。載置物３６Ｅは、載置物本体４３Ｅと光触媒膜７とを含む。載置物本体４３Ｃは、大略的に卵形に形成されている。載置物本体４３Ｅの外周部に光触媒膜７が形成されている。
本実施の形態の載置物３６Ａ〜３６Ｅによれば、載置物３６と同様の効果を奏する。
【００７９】
図２１は、水中環境浄化装飾具の実施の第１６の形態の載置装飾具４４を示す図である。載置装飾具４４は、載置装飾具本体４５と複数の光触媒体４６を含む。水中環境浄化装飾具である載置装飾具本体４５は、たとえばアルミナ系またはジルコニア系セラミック、あるいは樹脂から成る。載置装飾具本体４５は、たとえば図２１に示すように、二股状に形成されている。載置装飾具本体４５の外表面部には、複数の光触媒体４６が設けられている。光触媒体４６は、光触媒から成り、たとえば球状に形成される。光触媒体４６は、載置装飾具本体４５の外表面部に接着剤などによって固着されている。
【００８０】
本実施の形態の載置装飾具４４によれば、光触媒体４６が光触媒反応を起こすので、実施の第１の形態の掛形装飾具１などと同様の効果を奏する。
【００８１】
図２２は、人口藻５０を示す斜視図である。人口藻５０は、水槽２の底部に載置され、水槽２内の流れに伴って、揺れ動く擬似藻類である。人口藻５０は、土台５１、複数の線状体５２および複数の光触媒部材３Ｃを含む。
【００８２】
土台５１は、大略的に、直方体状の箱体であり、複数の嵌合溝部５３が形成されている。以下では、土台５１の長手方向をＸ方向とし、幅方向をＹ方向とし、Ｘ方向およびＹ方向に垂直な高さ方向をＺ方向と称する。各嵌合溝部５３は、互いに隣り合う、２つのＸ方向に延びる壁部にわたって形成され、各壁部をその厚み方向に貫通している。各嵌合溝部５３は、互いにＸ方向に等間隔をあけて形成されている。さらに詳細に説明すると、嵌合溝部５３は、第１の壁部５１ａにおいてＺ方向に延び、第１の壁部５１ａに隣り合う第２の壁部５１ｂにおいてＹ方向に延びている。嵌合溝部５３は、第１の壁部５１ａに形成される端部５３ａが円形状に形成されている。
【００８３】
各線状体５２は、たとえば糸、縄または紐である。これら線状体５２には、その一端部に浮子５５が装着され、他端部５２ａが球状に形成されている。線状体５２の他端部５２ａは、少なく嵌合溝部５３の端部５３ｂの内径ｒより小径に形成され、かつ前記端部５３を除く残余部５３ｂの幅Ｌより大径に形成されている。また線状体５２は、その他端部５２ａを除く残余部が、前記幅Ｌより小径に形成されている。このようにして形成される線状体５２の他端部５２ａを、嵌合溝部５３の端部５３ａに嵌め込んで、嵌合溝部５３に沿って移動させることによって、図２２に示すように、線状体５２の他端部５２ａが嵌合溝部５３に離脱不能に嵌まり込んで、線状体５２が土台５１に装着される。
【００８４】
光触媒部材３Ｃは、円筒状の光触媒部材本体６Ｃ、光触媒膜７および装着部８Ｃとを含む。水中環境浄化装飾具本体である光触媒部材本体６Ｃは、実施の第１の形態の光触媒部材本体６と同様に、たとえばアルミナ系またはジルコニア系セラミックから成る。ただしセラミックに限定されず、樹脂であってもよい。この光触媒部材本体６Ｂの外周部には、光触媒膜７が形成されている。光触媒膜７は、実施の第１の形態の光触媒膜７と同様の構成であり、その説明を省略する。このような光触媒部材本体６Ｃの内径は、前記線状体５２の外径より大径に形成される。
【００８５】
装着部８Ｃは、実施の第１の形態の装着部と構成が類似しており、異なる点についてだけ説明する。装着部８Ｃは、光触媒部材本体６Ｃの内周部の全面にわたって形成される。装着部８Ｃは、円筒状に形成され、その内径が線状体５２の外径より僅かに小径に形成されている。具体的には、装着部８Ｃの内周部は、線状体５２が挿通されると、装着部８Ｃが線状体５２に対して、弾発力を付勢して挟持するような内径に形成されている。このようにして形成される光触媒部材３Ｃは、線状体５２に挿通されて装着される。浮子５５は、線状体５２に１つまたは複数の光触媒部材３Ｃが装着されている状態、本実施の形態では２つの光触媒部材３Ｃが装着される状態で、線状体５２が浮く、低密度の材料によって形成されている。
【００８６】
このようにして構成される人口藻５０は、水の流れとともに揺らめき、擬似的な藻を演出することができる。これによって魚などの水棲生物にストレスを与えることなく、殺菌、分解および脱臭を実現することができる。また人口藻５０は、光触媒部材３Ｃによって酸素が発生するので、実物の藻のように酸素を排出することができ、より実物に近い藻を作成することができる。さらにこのような人口藻５０によって、実物の藻を配設することが不要となり、実物の藻の取替え作業などをなくすことができる。
【００８７】
また線状体５２の他端部５２ａが嵌合溝部５３の残余部５３ｂに嵌まり込んでいる。これによって線状体５２が嵌合溝部５３から離脱することなく、揺らめき模擬藻として観賞する事ができる。
【００８８】
また複数の人口藻５０を載置することによって、人工的な珊瑚を形成することができる。また人口藻５０は、光触媒部材３Ｃが互いに間隔をあけて設けられているので、このように珊瑚を形成すると、光触媒部材３Ｃの間に水棲生物が住処などを作ることができる。これによって実物の珊瑚を入れる必要がない。
本実施の形態の人口藻５０によれば、載置物３６と同様の効果を奏する。
【００８９】
また本実施の形態では、第１および第２の壁面５１ａ，５１ｂに隣接する互いに対向する第３および第４壁面５１ｃ，５１ｄを有するけれども、これらの壁面５１ｃ，５１ｄがなくてもよい。つまり土台５１がＸ方向に貫通していてもよい。この貫通孔に錘を挿通することによって、土台５１の移動を抑えることができる。このとき土台５１を軽量化して作成することができる。
【００９０】
また本実施の形態では、線状体５２がＸ方向に並設されているけれども、必ずしもこのような構成に限定されない。たとえば線状体５２をＸ方向に配設する際、Ｙ方向前後に交互に配置し、千鳥状に配置してもよい。これによって互いに隣り合う線状体５２に設けられる光触媒部材３Ｃ同士がぶつかり合うことを抑制することができる。これによって音が発生することを抑制し、水棲生物にストレスを与えることを抑制する。
【図面の簡単な説明】
【００９１】
【図１】掛形装飾具１および載置形装飾具２０が配設される水槽２を示す斜視図である。
【図２】掛形装飾具１の一部を拡大して示す正面図である。
【図３】掛形装飾具１を構成する光触媒部材３を示す斜視図である。
【図４】掛形装飾具１のモザイク画１２の製造方法のフローチャートを示す図である。
【図５】水中環境浄化装飾具の実施の第３の形態の掛形装飾部１Ａを拡大して示す正面図である。
【図６】掛形装飾具１を構成する光触媒部材３を示す斜視図である。
【図７】水中環境浄化装飾具の実施の第４の形態の載置形装飾具２０Ｂを示す平面図である。
【図８】水槽２内に配設される魚用遊具３４、壁面装飾具３５および載置物３６を拡大して示す斜視図である。
【図９】壁面装飾具３５を示す正面図である。
【図１０】図９の左側から壁面装飾具３５を見て示す段面図である。
【図１１】図９に示す断面線Ａ−Ａで切断して見た壁面装飾具３５の一部を拡大して示す断面図である。
【図１２】載置物３６を示す斜視図である。
【図１３】水中環境浄化装飾具の実施の第８の形態の壁面装飾具３５Ａを示す正面図である。
【図１４】水中環境浄化装飾具の実施の第９の形態の壁面装飾具３５Ｂを示す正面図である。
【図１５】水中環境浄化装飾具の実施の第１０の形態の壁面装飾具３５Ｃを示す正面図である。
【図１６】水中環境浄化装飾具の実施の第１１の形態の載置物３６Ａを示す正面図である。
【図１７】水中環境浄化装飾具の実施の第１２の形態の載置物３６Ｂを示す正面図である。
【図１８】水中環境浄化装飾具の実施の第１３の形態の壁面装飾具３６Ｃを示す正面図である。
【図１９】水中環境浄化装飾具の実施の第１４の形態の載置物３６Ｄを示す正面図である。
【図２０】水中環境浄化装飾具の実施の第１５の形態の載置物３６Ｅを示す正面図である。
【００９２】
【図２１】水中環境浄化装飾具の実施の第１６の形態の載置装飾具４４を示す図である。
【図２２】人口藻５０を示す斜視図である。
【符号の説明】
【００９３】
１  掛形装飾具
２  水槽
２ｂ  壁面部
３  光触媒部材
４  網状体
５  掛止部材
６  光触媒部材本体
７  光触媒膜
１７  配設手段
２０  載置形装飾具
３９  壁面装飾具本体
４１  反射材
【図１】
2007151497.tif 000003
【図２】
2007151497.tif 000004
【図３】
2007151497.tif 000005
【図４】
2007151497.tif 000006
【図５】
2007151497.tif 000007
【図６】
2007151497.tif 000008
【図７】
2007151497.tif 000009
【図８】
2007151497.tif 000010
【図１０】
2007151497.tif 000011
【図１１】
2007151497.tif 000012
【図１２】
2007151497.tif 000013
【図１５】
2007151497.tif 000014
【図１６】
2007151497.tif 000015
【図１７】
2007151497.tif 000016
【図１８】
2007151497.tif 000017
【図１９】
2007151497.tif 000018
【図２０】
2007151497.tif 000019
【図２１】
2007151497.tif 000020
【図２２】
2007151497.tif 000021
【図９】
2007151497.tif 000022
【図１３】
2007151497.tif 000023
【図１４】
2007151497.tif 000024